(57)【要約】【課題】  簡易な構成で安全規格を満足することができるトランス及びそのトランスを備えた電子機器と記録装置を提供することにある。【解決手段】  トランス６０は、ボビン６４と、前記ボビンに取り付けられるコア６１、６２と、前記ボビンに巻回されるコイル６３とを含み、基板１６２上に実装されて１次側と２次側との間の電圧の変換を行う。そして、コア６１の１次側側面及び／又は２次側側面を遮蔽するコアカバー６２を備えている。これにより、コア側面は覆われていてもコア全体は覆われていないので、発生した熱を外部へ放熱することができるとともに、コア側面に近接する電子部品との空間距離を規定値にすることができる。【選択図】  図７
2006278727.tif 000002
【特許請求の範囲】
【請求項１】
ボビンと、
前記ボビンに取り付けられるコアと、
前記ボビンに巻回されるコイルとを含み、
基板上に実装されて１次側と２次側との間の電圧の変換を行うトランスにおいて、
前記コアの１次側側面及び／又は２次側側面を遮蔽するコアカバーを備えたことを特徴とするトランス。
【請求項２】
前記コアカバーは、前記コアの１次側上面及び／又は２次側上面を遮蔽することを特徴とする請求項１に記載のトランス。
【請求項３】
前記コアカバーは、前記コアの１次側下面及び／又は２次側下面を遮蔽することを特徴とする請求項１又は２に記載のトランス。
【請求項４】
前記コアカバーは、前記コアに装着自在な絶縁樹脂で形成されていることを特徴とする請求項１〜３の何れか一項に記載のトランス。
【請求項５】
前記コアカバーは、前記コア及び／又は前記ボビンに係止自在な係止爪が形成されていることを特徴とする請求項４に記載のトランス。
【請求項６】
前記コアカバーは、前記ボビンの一部との干渉を避ける切欠き部が形成されていることを特徴とする請求項４又は５に記載のトランス。
【請求項７】
前記コアカバーは、所定の厚みを有するように前記コアに巻回される絶縁テープで形成されることを特徴とする請求項１〜３の何れか一項に記載のトランス。
【請求項８】
前記コアカバーは、前記基板上に実装される１次側部品及び／又は２次側部品と前記コアとの間の空間距離を延ばす機能を有することを特徴とする請求項１〜７の何れか一項に記載のトランス。
【請求項９】
電子部品が実装された基板を備えた電子機器であって、
請求項１〜８の何れか一項に記載のトランスを備えたことを特徴とする電子機器。
【請求項１０】
被記録媒体に記録する記録装置であることを特徴とする請求項９に記載の電子機器。
【発明の詳細な説明】
【技術分野】
【０００１】
本発明は、基板上に実装されて１次側と２次側との間の電圧の変換を行うトランス及びそのトランスを備えた電子機器と記録装置に関する。
【背景技術】
【０００２】
一般に、電子機器に使用される電子部品は電気回路が形成されたプリント基板に実装されている。そして、各電子部品の電源となるトランスもプリント基板に実装されている。ところで、電子機器には安全規格が設けられたものがあり、例えばトランスのコアと１次側の電子部品との空間距離及びコアと２次側の電子部品との空間距離の和を一定距離以上にしなければならないという安全規格が規定されている。
【０００３】
ところが、電子機器の小型化に伴いプリント基板も小型化されているため、上記空間距離を規定値とすることが困難になってきている。そこで、トランス全体をケースで覆って規定の空間距離を確保するという発明が提案されている（特許文献１参照）。また、トランスのコアとしてＥＩ型のコアを使用し、これらの内のＩ型コアを挿入するためのＩ型コア挿入部をトランスのボビンに貫設したトランスが提案されている。このような構成のトランスによれば、Ｉ型コアの外面が外部に露出しないので、規定の空間距離を確保することができると記載されている（特許文献２参照）。
【０００４】
【特許文献１】特開平６−６９０５１号公報
【特許文献２】特開平１０−６５３４０号公報
【発明の開示】
【発明が解決しようとする課題】
【０００５】
しかしながら、上述した前者の全体がケースに覆われたトランスでは、トランス自体で発生した熱が篭り易く、故障の原因となるおそれがある。また、上述した後者のＩ型コアを挿入するためのＩ型コア挿入部がトランスのボビンに貫設されたトランスでは、Ｉ型コア挿入部がボビンを貫通した穴として形成されているので、Ｉ型コアの両端面は覆われずに露出している。このため、このＩ型コアの両端面と１次側の電子部品もしくは２次側の電子部品との空間距離を規定値とすることは困難である。そして、ＥＩ型のコアを使用したトランスのみにしか適用することができない。
【０００６】
本発明は、上記のような種々の課題に鑑みなされたものであり、その目的は、簡易な構成で安全規格を満足することができるトランス及びそのトランスを備えた電子機器と記録装置を提供することにある。
【課題を解決するための手段】
【０００７】
上記目的達成のため、本発明のトランスでは、ボビンと、前記ボビンに取り付けられるコアと、前記ボビンに巻回されるコイルとを含み、基板上に実装されて１次側と２次側との間の電圧の変換を行うトランスにおいて、前記コアの１次側側面及び／又は２次側側面を遮蔽するコアカバーを備えたことを特徴としている。これにより、コア側面は覆われていてもコア全体は覆われていないので、発生した熱を外部へ放熱することができるとともに、コア側面に近接する電子部品との空間距離を規定値にすることができる。
【０００８】
前記コアカバーは、前記コアの１次側上面及び／又は２次側上面を遮蔽することを特徴としている。これにより、コア高さより背の高い電子部品をコアに近接させて配置しても空間距離を規定値にすることができる。前記コアカバーは、前記コアの１次側下面及び／又は２次側下面を遮蔽することを特徴としている。これにより、コア高さより背の低い電子部品をコアに近接させて配置しても空間距離を規定値にすることができる。
【０００９】
前記コアカバーは、前記コアに装着自在な絶縁樹脂で形成されていることを特徴としている。これにより、コアカバーを一体的に簡易に成形することができる。前記コアカバーは、前記コア及び／又は前記ボビンに係止自在な係止爪が形成されていることを特徴としている。これにより、コアカバーを容易に着脱することができる。前記コアカバーは、前記ボビンの一部との干渉を避ける切欠き部が形成されていることを特徴としている。これにより、コアカバーをコアと密着させて覆うことができるので、トランスが大型化することを回避することができる。前記コアカバーは、所定の厚みを有するように前記コアに巻回される絶縁テープで形成されることを特徴としている。これにより、コアカバーを低コストで簡易に形成することができる。前記コアカバーは、前記基板上に実装される１次側部品及び／又は２次側部品と前記コアとの間の空間距離を延ばす機能を有することを特徴としている。これにより、電子部品とコアとをより近接配置することができる。
【００１０】
上記目的達成のため、本発明の電子機器では、電子部品が実装された基板を備えた電子機器であって、上記各トランスを備えたことを特徴としている。この電子機器は、例えば被記録媒体に記録する記録装置であることを特徴としている。これにより、上記各作用効果を奏する電子機器、例えば記録装置を提供することが可能である。
【発明を実施するための最良の形態】
【００１１】
本発明の実施形態について、図面を参照して説明する。なお、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１３】
このインクジェット式複合機１００は、図１に示すように、全体が略直方体状のハウジング１０１で覆われており、下段にプリンタ１１０が配設され、上段にスキャナ１２０が配設された構成となっている。そして、背面側に給紙部１３０が配設され、前面側に給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１４】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１５】
ハウジング１０１の上面のスキャナカバー１０２の奥には、図１に示すように、給紙する用紙を１枚もしくは複数枚サポートするペーパーサポート１３３と、このペーパーサポート１３３の手前に上方に向かって矩形状に開口したリア給紙口１３１を開閉する給紙口カバー１３５が配設されている。この給紙口カバー１３５は、前部に取っ手１３５ａが形成されており、後部の回転軸を中心に図示矢印ａ方向に回動可能に取り付けられている。ユーザは、プリンタ１１０を使用または不使用のときは取っ手１３５ａを持って給紙口カバー１３５を開閉することができるので、用紙の差し入れを容易に行うことができ、またリア給紙口１３１内への埃の侵入を防止することができる。
【００１６】
さらに、ペーパーサポート１３３の図示左側端部側には、サポート面から垂直に突き出た当接防止ガイド１３６が一体形成されている。この当接防止ガイド１３６は、給紙口カバー１３５が単独で、もしくはスキャナカバー１０２に押されてリア給紙口１３１を閉じる方向に回転してきたときに給紙口カバー１３５と当接し、さらには給紙口カバー１３５の回転を妨げずに案内する機能を有している。したがって、ペーパーサポート１３３に用紙がセットされた状態であっても、用紙と給紙口カバー１３５との接触干渉を防止することができる。
【００１７】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１８】
ハウジング１０１の前面には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１９】
ハウジング１０１内には、図２及び図３に示すように、給紙部１３０、給排紙部１４０、記録部１５０と、本発明の特徴的な部分を含む制御部１６０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。
【００２０】
ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００２１】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００２２】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００２３】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００２４】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２５】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。
【００２６】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２７】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２８】
フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離する図示しないリタードローラユニット、このリタードローラユニットにより分離された残りの用紙を給紙トレイ１４２に戻す図示しないフロント紙戻しユニット、給送される用紙をＵ字状に反転させる中間ローラ４５等を備えている。
【００２９】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００３０】
リタードローラユニットは、中間ローラ４５と当接可能に配設されており、ピックアップローラユニット４１により用紙が重送されたときに最上層の用紙のみを下層の用紙から摩擦分離するようになっている。フロント紙戻しユニットは、爪状に形成されてリタードローラユニットの近傍に配設されており、リタードローラユニットにより分離された下層の用紙を爪に掛けて給紙トレイ１４２へ戻すようになっている。
【００３１】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００３２】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００３３】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３４】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００３５】
図４は、上記制御部１６０の外観を示す斜視図、図５及び図６は、その内部構成を背面側から見た斜視図及び前面側から見た斜視図である。この制御部１６０は、図５及び図６に示すプリンタコントローラを構成するメイン基板１６１及びこのメイン基板１６１等へ電源電圧を供給する本発明の特徴的な部分を含む電源基板１６２を備えている。そして、メイン基板１６１及び電源基板１６２は、図４に示すようにエンクロージャ１６３で覆われ、図５及び図６に示すようにインクジェット式複合機１００の筐体１０９に接するように配置されている。
【００３６】
メイン基板１６１は、プリントコントローラを構成するＣＰＵ、ＲＯＭ、ＲＡＭ、ＡＳＩＣ等の制御素子や記憶素子１６４、記録ヘッド駆動用のトランジスタ１６５、このトランジスタ１６５と密着して放熱させる放熱器１６６、この放熱器１６６の一端に取り付けられた筐体内冷却用ファン１６７、外部からの記録データを入力する外部インターフェースコネクタ１６８、及びコンデンサ１６９やその他の図示しない各種回路素子が実装されている。そして、プリントエンジンを構成する給紙部１３０、給排紙部１４０、記録部１５０等を制御するようになっている。
【００３７】
電源基板１６２は、本発明の特徴的な部分である外部からの電源電圧を変圧してメイン基板１６１等へ供給するトランス６０、このトランス６０の１次側に配設されたコンデンサ等の１次側部品１７１及び２次側に配設されたコンデンサ等の２次側部品１７２、電源ケーブルを接続する電源コネクタ１７３、及びその他の図示しないスイッチング素子としてのトランジスタ等が実装されている。
【００３８】
エンクロージャ１６３は、導電性の金属板で形成されており、メイン基板１６１及び電源基板１６２を機械的に保護する機能と、メイン基板１６１及び電源基板１６２に実装された電子部品から発生する輻射ノイズや、他の回路基板上に実装された電子部品から発生する輻射ノイズを遮蔽する機能を有している。そして、このエンクロージャ１６３は、遮蔽した輻射ノイズを外部に放出するため、筐体１０９に設けられている接地端子に接続されている。
【００３９】
筐体１０９には、外部インターフェースコネクタ１６８や電源コネクタ１７３が外部に露出するような開口部１０９ａ、１０９ｂと、複数の穴で成る換気口１０９ｃと、放熱器１６６の他端が接続された排気口１０９ｄが設けられている。筐体１０９の外部の空気は、筐体内冷却用ファン１６７の回転により換気口１０９ｃから筐体１０９内に流入して、メイン基板１６１及び電源基板１６２に実装された電子部品等から発生する熱を吸収する。そして、熱せられた空気は、放熱器１６６に流入し放熱器１６６内のフィン１６６ａと接触して熱を更に吸収し、排気口１０９ｄから筐体１０９の外部へ放出される。これにより、メイン基板１６１及び電源基板１６２に実装された電子部品等を効率良く冷却することができる。
【００４０】
ここで、背景技術でも述べたように、トランスのコアと１次側の電子部品との空間距離及びコアと２次側の電子部品との空間距離の和を一定距離以上にしなければならないという安全規格が規定されている。しかしながら、このような空間距離を確保すると、電源基板１６２のスペースの有効利用が困難になり、また、トランス全体をケースで覆った場合は、発生した熱が篭り易く、故障の原因となるおそれがある。このため、本発明の特徴的な部分である上記トランス６０は、以下に示すような簡易な構成により上記空間距離を確保することができるようになっており、図を参照して説明する。
【００４１】
図７は、上記トランス６０の斜視図、図８は、その分解斜視図、図９は、上記電源基板１６２におけるトランス６０とその周辺の一部断面側面図である。このトランス６０は、図７及び図８に示すように、一対のコア６１と一対のコアカバー６２とコイル６３とボビン６４を備えている。一対のコア６１は、ＥＥＲ型のコアであり、例えばフェライト等の磁性材で形成されている。すなわち、各コア６１は、略直方体形状の基部６１ａと、この基部６１ａの両端部から直交する方向に延びるように形成された第１の脚部６１ｂ及び第２の脚部６１ｃと、基部６１ａにおける第１の脚部６１ｂと第２の脚部６１ｃの間から直交する方向に延びるように形成された第３の脚部６１ｄを備えている。
【００４２】
各コアカバー６２は、各コア６１の基部６１ａの上から被せて装着することができる絶縁樹脂で成り、各コア６１の基部６１ａの３つの外側面６１ａａ、６１ａｂ、６１ａｃと上面６１ａｄを覆って遮蔽することが可能な形状に形成されている。すなわち、各コアカバー６２は、各コア６１の基部６１ａより若干大きい中空の略直方体形状であって、各コア６１の基部６１ａの３つの外側面６１ａａ、６１ａｂ、６１ａｃと上面６１ａｄを覆う側面６２ａ、端面６２ｂ、端面６２ｃ及び上面６２ｄ以外の側面及び下面は開放された形状に形成されている。
【００４３】
そして、ボビン６４を構成する後述する一対のコア台６６上に載置された各コア６１の基部６１ａに各コアカバー６２を装着した際に、各コアカバー６２が各コア６１の基部６１ａから外れないように、各コアカバー６２の端面６２ｂ及び端面６２ｃの下部には、各コア台６６に係止自在な係止爪６２ｅが一体的に突設されている。また、ボビン６４は後述する一対のコア位置決め突起６７を備えているため、各コアカバー６２の上面６２ｄには、各コア位置決め突起６７との干渉を避ける切欠き部６２ｄａが形成されている。
【００４４】
コイル６３は、図示していないが、１次側コイルが巻回された上に絶縁テープ等が巻回され、さらにその上に２次側コイルが巻回されて絶縁テープ等が巻回された構成となっている。なお、１次側コイルと２次側コイルを絶縁物等を挟んで左右両側に巻回するように構成しても良い。
【００４５】
ボビン６４は、巻枠部６５と一対のコア台６６と一対のコア位置決め突起６７が一体成形された構成となっている。巻枠部６５は、両端にフランジ部６５ａが形成された中空円筒形状の筒部６５ｃを備えており、筒部６５ｃの外周側にコイル６３が巻回され、筒部６５ｃの内周側に各コア６１の第３の脚部６１ｄが挿入されている。各コア台６６は、略矩形平板状に形成されて上面中央部が巻枠部６５の各フランジ部６５ａの下部と一体化されており、上面６６ａに各コア６１の基部６１ａが載置され、下面にピン端子６８が突設されている。各コア位置決め突起６７は、略三角柱形状に形成されて下部が巻枠部６５の各フランジ部６５ａの上部と一体化されている。
【００４６】
このような構成のトランス６０の組立方法について説明する。先ず、コイル６３が、フランジ部６５ａを越えない範囲で筒部６５ｃの外周側に巻回され、コイル６３の１次側コイルと２次側コイルの端部が、各コア台６６のピン端子６８にそれぞれ巻き付けられて半田付けされる。そして、各コア６１の第３の脚部６１ｄが、各コア台６６と各コア位置決め突起６７の間から筒部６５ｃの内周側に挿入されると共に、各コア６１の第１の脚部６１ｂと第２の脚部６１ｃが、各フランジ部６５ａ及びコイル６３の両側を挟み込むように配置される。
【００４７】
これにより、各コア６１の第１の脚部６１ｂ、第２の脚部６１ｃ、第３の脚部６１ｄの各先端面６１ｂａ、６１ｃａ、６１ｄａ同士が当接されて磁路が形成される。次に、各コアカバー６２が各コア６１の基部６１ａの上から被せられ、各コアカバー６２の係止爪６２ｅが各コア台６６に係止される。なお、各コアカバー６２は、トランス６０を電源基板１６２に実装した後でも装着可能である。
【００４８】
このようなコアカバー６２を取り付けることにより、コア６１の基部６１ａの下面６１ａｅは、コア台６６の上面６６ａに覆われ、コア６１の基部６１ａの３つの外側面６１ａａ、６１ａｂ、６１ａｃと上面６１ａｄは、コアカバー６２の側面６２ａ、端面６２ｂ、端面６２ｃ及び上面６２ｄで覆われることになる。したがって、コア６１の露出する面は第１の脚部６１ｂ及び第２の脚部６１ｃの側面６１ｂｂ、６１ｃｂ、上面６１ｂｃ、６１ｃｃ及び下面６１ｂｄ、６１ｃｄのみとなる。よって、コア６１全体は覆われていないので、発生した熱を外部へ放熱することができる。
【００４９】
また、図９に示すように、電源基板１６２に実装されたコンデンサ等の１次側部品１７１及び２次側部品１７２をトランス６０の１次側及び２次側の両端部側から各コア６１に近づけても、コアカバー６２が介在しているため、その１次側部品１７１及び２次側部品１７２とコア６１の上記露出面６１ｂｂ、６１ｃｂ、６１ｂｃ、６１ｃｃ、６１ｂｄ、６１ｃｄとの間の空間距離ａ、ｂの和を安全規格の規定値とすることができ、電源基板１６２のスペースの有効利用を図ることができる。なお、コアカバー６２は１次側及び２次側に装着するようにしたが、必要に応じて何れか一方でも良い。
【００５０】
図１０は、コアカバーの別例を示す斜視図である。このコアカバー７０は、上記コアカバー６２と同様に一対で成る。各コアカバー７０は、各コア６１の基部６１ａ、第１の脚部６１ｂ及び第２の脚部６１ｃの上から被せて装着することができる絶縁樹脂で成り、各コア６１の基部６１ａの３つの外側面６１ａａ、６１ａｂ、６１ａｃと上面６１ａｄ、並びに第１の脚部６１ｂ及び第２の脚部６１ｃの側面６１ｂｂ、６１ｃｂと上面６１ｂｃ、６１ｃｃを覆って遮蔽することが可能な形状に形成されている。
【００５１】
すなわち、各コアカバー６２は、各コア６１より若干大きい中空の略直方体形状であって、各コア６１の基部６１ａの３つの外側面６１ａａ、６１ａｂ、６１ａｃと上面６１ａｄ、並びに第１の脚部６１ｂ及び第２の脚部６１ｃの側面６１ｂｂ、６１ｃｂと上面６１ｂｃ、６１ｃｃを覆う側面７０ａ、端面７０ｂ、端面７０ｃ及び上面７０ｄ以外の側面及び下面は開放された形状に形成されている。
【００５２】
そして、各コア台６６上に載置された各コア６１に各コアカバー７０を装着した際に、各コアカバー７０が各コア６１から外れないように、各コアカバー７０の端面７０ｂ及び端面７０ｃの下部には、各コア台６６に係止自在な係止爪７０ｅが一体的に突設されている。また、各コアカバー７０の上面７０ｄには、各コア位置決め突起６７との干渉を避ける切欠き部７０ｄａが形成されている。さらに、各コア６１の第１の脚部６１ｂ及び第２の脚部６１ｃの下面６１ｂｄ、６１ｃｄを遮蔽するために、各コアカバー７０の端面７０ｂ及び端面７０ｃの下部には、下方に延びる壁部７０ｆ、７０ｇが形成されている。
【００５３】
このようなコアカバー７０を取り付けることにより、コア６１の基部６１ａの下面６１ａｅは、コア台６６の上面６６ａに覆われ、コア６１の基部６１ａの３つの外側面６１ａａ、６１ａｂ、６１ａｃと上面６１ａｄ、並びに第１の脚部６１ｂ及び第２の脚部６１ｃの側面６１ｂｂ、６１ｃｂと上面６１ｂｃ、６１ｃｃは、コアカバー７０の側面７０ａ、端面７０ｂ、端面７０ｃ及び上面７０ｄで覆われることになる。さらに、コア６１の第１の脚部６１ｂ及び第２の脚部６１ｃの下面６１ｂｄ、６１ｃｄは、コアカバー７０の壁部７０ｆ、７０ｇで遮蔽されることになる。
【００５４】
よって、コア６１全体は覆われていないので、発生した熱を外部へ放熱することができる。また、電源基板１６２に実装されたコンデンサ等の１次側部品１７１及び２次側部品１７２をトランス６０の１次側及び２次側の両端部側のみならず両側部側から各コア６１に近づけても、コアカバー７０が介在しているため、その１次側部品１７１及び２次側部品１７２とコア６１との間の空間距離の和を安全規格の規定値とすることができ、電源基板１６２のスペースの有効利用を図ることができる。特に、コア６１の第１の脚部６１ｂ及び第２の脚部６１ｃの下面６１ｂｄ、６１ｃｄは、コアカバー７０の壁部７０ｆ、７０ｇで遮蔽されているので、背の低いコンデンサ等の１次側部品１７１及び２次側部品１７２をトランス６０の両側部側から各コア６１に近づけて実装することができる。なお、コアカバー７０は１次側及び２次側に装着するようにしたが、必要に応じて何れか一方でも良い。
【００５５】
図１１は、コアカバーの更に別例を示す斜視図である。このコアカバー７１は、上記一対のコアカバー７０が一体化された形状に形成されており、同一構成個所は同一番号を付して説明を省略する。このようなコアカバー７１を取り付けることにより、コア６１の基部６１ａの下面６１ａｅは、コア台６６の上面６６ａに覆われ、コア６１の基部６１ａの３つの外側面６１ａａ、６１ａｂ、６１ａｃと上面６１ａｄ、並びに第１の脚部６１ｂ及び第２の脚部６１ｃの側面６１ｂｂ、６１ｃｂと上面６１ｂｃ、６１ｃｃは、コアカバー７０の側面７０ａ、端面７０ｂ、端面７０ｃ及び上面７０ｄで覆われることになる。さらに、コア６１の第１の脚部６１ｂ及び第２の脚部６１ｃの下面６１ｂｄ、６１ｃｄは、コアカバー７０の壁部７０ｆ、７０ｇで遮蔽されることになる。
【００５６】
よって、コア６１全体は覆われていないので、発生した熱を外部へ放熱することができる。また、電源基板１６２に実装されたコンデンサ等の１次側部品１７１及び２次側部品１７２をトランス６０の１次側及び２次側の両端部側のみならず両側部側から各コア６１に近づけても、コアカバー７０が介在しているため、その１次側部品１７１及び２次側部品１７２とコア６１との間の空間距離の和を安全規格の規定値とすることができ、電源基板１６２のスペースの更なる有効利用を図ることができる。特に、コア６１の第１の脚部６１ｂ及び第２の脚部６１ｃの下面６１ｂｄ、６１ｃｄは、コアカバー７０の壁部７０ｆ、７０ｇで遮蔽されているので、背の低いコンデンサ等の１次側部品１７１及び２次側部品１７２をトランス６０の両側部側から各コア６１に近づけて実装することができる。そして、トランス６０の１次側及び２次側に装着する場合、上記コアカバー６２、７０では２回の装着動作を行う必要があるが、このコアカバー７１では１回の装着動作で済ますことができ、組立時間を短縮させることができる。
【００５７】
図１２は、コアカバーの更に別例を示す斜視図である。このコアカバー７２は、絶縁テープで成り、組立後のコア６２の周側面に所定の厚みを有し、かつコア６２の上縁部から所定の高さ突き出るように巻回されている。このようなコアカバー７２を取り付けることにより、コア６１の基部６１ａの下面６１ａｅは、コア台６６の上面６６ａに覆われ、コア６１の基部６１ａの３つの外側面６１ａａ、６１ａｂ、６１ａｃ、並びに第１の脚部６１ｂ及び第２の脚部６１ｃの側面６１ｂｂ、６１ｃｂは、コアカバー７２で覆われることになる。さらに、コア６１の基部６１ａの上面６１ａｄ、並びに第１の脚部６１ｂ及び第２の脚部６１ｃの上面６１ｂｃ、６１ｃｃは、コアカバー７２で遮蔽されることになる。
【００５８】
よって、コア６１全体は覆われていないので、発生した熱を外部へ放熱することができる。また、電源基板１６２に実装されたコンデンサ等の１次側部品１７１及び２次側部品１７２をトランス６０の１次側及び２次側の両端部側から各コア６１に近づけても、コアカバー７２が介在しているため、その１次側部品１７１及び２次側部品１７２とコア６１との間の空間距離の和を安全規格の規定値とすることができ、電源基板１６２のスペースの有効利用を図ることができる。
【００５９】
また、コアカバー７０の壁部７０ｆ、７０ｇと同様のものを絶縁テープで形成することにより、コア６１の第１の脚部６１ｂ及び第２の脚部６１ｃの下面６１ｂｄ、６１ｃｄも遮蔽することができる。よって、コア６１全体は覆われていないので、発生した熱を外部へ放熱することができる。また、１次側部品１７１及び２次側部品１７２をトランス６０の１次側及び２次側の両端部側のみならず両側部側から各コア６１に近づけても、その１次側部品１７１及び２次側部品１７２とコア６１との間の空間距離の和を安全規格の規定値とすることができ、電源基板１６２のスペースの更なる有効利用を図ることができる。そして、コアカバー７２は、絶縁テープで成るため、絶縁樹脂で成る上記コアカバー６２、７０、７１よりも安価で作製することができる。
【００６０】
なお、上述した実施形態のコアカバー６２、７０、７１は、コア６１の基部６１ａの上面６１ａｄや第１の脚部６１ｂ及び第２の脚部６１ｃの上面６１ｂｃ、６１ｃｃを覆う上面６２ｄ、７０ｄを備えているが、コア６１の基部６１ａの上面６１ａｄや第１の脚部６１ｂ及び第２の脚部６１ｃの上面６１ｂｃ、６１ｃｃを遮蔽する壁部を上面６２ｄ、７０ｄの代わりに形成するようにしても良い。
【００６１】
また、係止爪６２ｅは、コアカバー６２の端面６２ｂ及び端面６２ｃの下部に１つずつ形成してコア台６６に係止するようにしたが、形成個所、個数、大きさ等は特に限定されるものでは無く任意で良く、また、コア６１に係止するように構成しても良い。さらに、係止爪６２ｅを形成せずにテープ等で各コア台６６や各コア６１に係止するように構成しても良い。また、切欠き部６２ｄａは、形成個所、個数、大きさ等は特に限定されるものでは無く任意で良く、さらにコア位置決め突起６７等の干渉部材が無いときは形成しなくても良い。また、コア位置決め突起６７にコイル６３の端部が露出する場合は、切欠き部６２ｄａの周囲に壁部を形成しても良い。
【産業上の利用可能性】
【００６２】
トランスを備えていれば、インクジェット式プリンタに制限されることなく、その他の記録装置であっても適用可能である。また、記録装置に限らず、一般的な電気、電子機器にも適用可能である。
【図面の簡単な説明】
【００６３】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機の制御部の外観を示す斜視図である。
【図５】図４の制御部の内部構成を背面側から見た斜視図である。
【図６】図４の制御部の内部構成を前面側から見た斜視図である。
【図７】図５のトランスの斜視図である。
【図８】図７のトランスの分解斜視図である。
【図９】図５の電源基板におけるトランスとその周辺の一部断面側面図である。
【図１０】図７のトランスのコアカバーの別例を示す斜視図である。
【図１１】図７のトランスのコアカバーの更に別例を示す斜視図である。
【図１２】図７のトランスのコアカバーの更に別例を示す斜視図である。
【符号の説明】
【００６４】
６０  トランス、６１  コア、６１ａ  基部、６１ｂ  第１の脚部、６１ｃ  第２の脚部、６１ｄ  第３の脚部、６２、７０、７１、７２  コアカバー、６２ｄａ、７０ｄａ  切欠き部、６２ｅ、７０ｅ  係止爪、７０ｆ、７０ｇ  壁部、６３  コイル、６４  ボビン、６５  巻枠部、６５ａ  フランジ部、６５ｃ  筒部、６６  コア台、６７  コア位置決め突起、１００  インクジェット式複合機、１１０  プリンタ、１２０  スキャナ、１３０  給紙部、１４０  給排紙部、１５０  記録部、１６０  制御部、１６１  メイン基板、１６２  電源基板、１７１  １次側部品、１７２  ２次側部品
【図１】
2006278727.tif 000003
【図２】
2006278727.tif 000004
【図３】
2006278727.tif 000005
【図４】
2006278727.tif 000006
【図５】
2006278727.tif 000007
【図６】
2006278727.tif 000008
【図７】
2006278727.tif 000009
【図８】
2006278727.tif 000010
【図９】
2006278727.tif 000011
【図１０】
2006278727.tif 000012
【図１１】
2006278727.tif 000013
【図１２】
2006278727.tif 000014